(57)【要約】【課題】パチンコ遊技機の製造ラインにおいて、遊技盤アッセンブリの積み上げ作業を容易かつ確実に行うこと。【解決手段】合成樹脂製遊技盤１の裏面４の外周部に合成樹脂製スペーサー５を組付けてなる遊技盤アッセンブリ１００は、スペーサー５に設けられ、遊技盤アッセンブリ１００の盤面を水平状態にしたとき、自重により先端部２４がスペーサー５の下面２７から下方へ突出可能なピン２１と、遊技盤１の盤面２８に形成され、遊技盤アッセンブリ１００の盤面を水平状態にしたとき、ピン２１の真上に位置する係止凹部２９とを備え、遊技盤アッセンブリ１００を順に積み上げるとき、上側の遊技盤アッセンブリ１００Ａのピン２１の先端部２４が、下側の遊技盤アッセンブリ１００Ｂの係止凹部２９に嵌るよう構成される。【選択図】図５
2011036314.tif 000002
【特許請求の範囲】
【請求項１】
合成樹脂製遊技盤の裏面の外周部に合成樹脂製スペーサーを組付けてなる遊技盤アッセンブリを備えるパチンコ遊技機において、
前記スペーサーに設けられる可動係止部材であって、前記遊技盤アッセンブリの遊技盤の盤面を水平状態にしたとき、自重により先端部が前記スペーサーの下面から下方へ突出可能な可動係止部材と、
前記遊技盤の盤面に形成された係止凹部又は係止孔部であって、前記遊技盤アッセンブリの遊技盤の盤面を水平状態にしたとき、前記可動係止部材の真上に位置する係止凹部又は係止孔部と、
を備え、
盤面に対する遊技釘等の装着作業前の遊技盤を要素とする遊技盤アッセンブリを順に積み上げるとき、上側の遊技盤アッセンブリの可動係止部材の先端部が、下側の遊技盤アッセンブリの係止凹部又は係止孔部に嵌り、前記上側の遊技盤アッセンブリが前記下側の遊技盤アッセンブリの上に固定されるよう構成されることを特徴とするパチンコ遊技機。
【請求項２】
合成樹脂製遊技盤の裏面の外周部に合成樹脂製スペーサーを組付けてなる遊技盤アッセンブリを備えるパチンコ遊技機において、
前記スペーサーに設けられる可動係止部材であって、前記遊技盤アッセンブリの遊技盤の盤面を水平状態にしたとき前記スペーサーからの突出量が最大となる垂下位置に保持され、当該可動係止部材の先端部に上方向の力が外部から加えられると、前記スペーサーの内部に向かって所定位置まで上昇可能な可動係止部材と、
前記遊技盤の盤面に形成された係止凹部であって、前記遊技盤アッセンブリの遊技盤の盤面を水平状態にしたとき、前記可動係止部材の真上に位置する係止凹部と、
を備え、
盤面に対する遊技釘等の装着作業前の遊技盤を要素とする遊技盤アッセンブリを順に積み上げるとき、上側の遊技盤アッセンブリの、垂下位置にある可動係止部材の先端部が、下側の遊技盤アッセンブリの係止凹部に嵌り、前記上側の遊技盤アッセンブリが前記下側の遊技盤アッセンブリの上に固定されると共に、
前記可動係止部材の先端部が係止凹部の底面と当接すると、可動係止部材は、スペーサーの内部に向かって所定位置まで上昇し、可動係止部材が前記所定位置まで上昇したとき、前記上側の遊技盤アッセンブリのスペーサーの下面と、前記下側の遊技盤アッセンブリの遊技盤の盤面とが非接触状態を維持するよう構成されることを特徴とするパチンコ遊技機。
【発明の詳細な説明】
【技術分野】
【０００１】
本発明は、アクリル樹脂等合成樹脂製の遊技盤を備えるパチンコ遊技機に関する。
【背景技術】
【０００２】
合成樹脂製例えばアクリル樹脂製の遊技盤を備えるパチンコ遊技機は、遊技盤の裏面の外周部に合成樹脂製のスペーサー（補助板部材）を組付け、従前からのベニヤ製の遊技盤が取り付けられる取付枠に取付け可能にするために、遊技盤とスペーサーとの組付体からなる遊技盤アッセンブリの厚さを、従前からのベニヤ製の遊技盤と同じ厚さにしている。
【０００３】
そして、この種のパチンコ遊技機の製造ラインにおいては、ルーターを用いて遊技盤に所定の貫通孔等を形成した後、遊技盤アッセンブリを順に積み上げ、積み上げた遊技盤アッセンブリを上から順に下ろして遊技盤の盤面に遊技釘等部品を固定、配設する作業を行っている。
【発明の概要】
【発明が解決しようとする課題】
【０００４】
しかし、遊技盤アッセンブリを積み上げる作業は、遊技盤アッセンブリが合成樹脂製であり互いに滑り易いため容易ではなかった。
【０００５】
本発明は、パチンコ遊技機の製造ラインにおいて、遊技盤アッセンブリの積み上げ作業を容易かつ確実に行うことができるパチンコ遊技機を提供することを目的とする。
【課題を解決するための手段】
【０００６】
本発明の第１のパチンコ遊技機は、合成樹脂製遊技盤の裏面の外周部に合成樹脂製スペーサーを組付けてなる遊技盤アッセンブリを備えるパチンコ遊技機において、前記スペーサーに設けられる可動係止部材であって、前記遊技盤アッセンブリの遊技盤の盤面を水平状態にしたとき、自重により先端部が前記スペーサーの下面から下方へ突出可能な可動係止部材と、前記遊技盤の盤面に形成された係止凹部又は係止孔部であって、前記遊技盤アッセンブリの遊技盤の盤面を水平状態にしたとき、前記可動係止部材の真上に位置する係止凹部又は係止孔部と、を備え、盤面に対する遊技釘等の装着作業前の遊技盤を要素とする遊技盤アッセンブリを順に積み上げるとき、上側の遊技盤アッセンブリの可動係止部材の先端部が、下側の遊技盤アッセンブリの係止凹部又は係止孔部に嵌り、前記上側の遊技盤アッセンブリが前記下側の遊技盤アッセンブリの上に固定されるよう構成されることを特徴とする。
【０００７】
本発明の第１のパチンコ遊技機によると、遊技釘等が固定、配設される前の遊技盤アッセンブリを順に積み上げるとき、上側の遊技盤アッセンブリの可動係止部材が下側の遊技盤アッセンブリの係止凹部又は係止孔部に嵌ることにより、上側の遊技盤アッセンブリが下側の遊技盤アッセンブリの上にずれることなく確実に保持されるようになり、遊技盤アッセンブリの積上げ作業が容易かつ確実なものになる。
【０００８】
本発明の第２のパチンコ遊技機は、合成樹脂製遊技盤の裏面の外周部に合成樹脂製スペーサーを組付けてなる遊技盤アッセンブリを備えるパチンコ遊技機において、前記スペーサーに設けられる可動係止部材であって、前記遊技盤アッセンブリの遊技盤の盤面を水平状態にしたとき前記スペーサーからの突出量が最大となる垂下位置に保持され、当該可動係止部材の先端部に上方向の力が外部から加えられると、前記スペーサーの内部に向かって所定位置まで上昇可能な可動係止部材と、前記遊技盤の盤面に形成された係止凹部であって、前記遊技盤アッセンブリの遊技盤の盤面を水平状態にしたとき、前記可動係止部材の真上に位置する係止凹部と、を備え、盤面に対する遊技釘等の装着作業前の遊技盤を要素とする遊技盤アッセンブリを順に積み上げるとき、上側の遊技盤アッセンブリの、垂下位置にある可動係止部材の先端部が、下側の遊技盤アッセンブリの係止凹部に嵌り、前記上側の遊技盤アッセンブリが前記下側の遊技盤アッセンブリの上に固定されると共に、前記可動係止部材の先端部が係止凹部の底面と当接すると、可動係止部材は、スペーサーの内部に向かって所定位置まで上昇し、可動係止部材が前記所定位置まで上昇したとき、前記上側の遊技盤アッセンブリのスペーサーの下面と、前記下側の遊技盤アッセンブリの遊技盤の盤面とが非接触状態を維持するよう構成されることを特徴とする。
【０００９】
本発明の第２のパチンコ遊技機によると、遊技釘等が固定、配設される前の遊技盤アッセンブリを順に積み上げるとき、上側の遊技盤アッセンブリの可動係止部材が下側の遊技盤アッセンブリの係止凹部に嵌ることにより、上側の遊技盤アッセンブリが下側の遊技盤アッセンブリの上にズレることなく確実に保持されるようになり、遊技盤アッセンブリの積上げ作業が容易かつ確実なものになる。さらに、遊技盤アッセンブリを積み上げたとき、上側の遊技盤アッセンブリのスペーサーの下面と、下側の遊技盤アッセンブリの遊技盤の盤面とが非接触状態に維持されるようになるため、上側の遊技盤アッセンブリのスペーサーによって下側の遊技盤アッセンブリの遊技盤の盤面が損傷される不具合を防止することができる。
【図面の簡単な説明】
【００１０】
【図１】本発明の一実施形態に係るパチンコ遊技機の遊技盤の正面図及び下面図である。
【図２】図１図示の遊技盤の裏面に固定されるスペーサーの正面図及び下面図である。
【図３】図１図示の遊技盤に図２図示のスペーサーを組み付けてなる遊技盤アッセンブリの積上げ状態を示す正面図である。
【図４】第１実施形態に係る下側の遊技盤アッセンブリに第１実施形態に係る上側の遊技盤アッセンブリを積上げる前における、上側の遊技盤アッセンブリ及び下側の遊技盤アッセンブリの要部断面図である。
【図５】第１実施形態に係る下側の遊技盤アッセンブリに第１実施形態に係る上側の遊技盤アッセンブリを積上げた際における、上側の遊技盤アッセンブリ及び下側の遊技盤アッセンブリの要部断面図である。
【図６】第２実施形態に係る下側の遊技盤アッセンブリに第２実施形態に係る上側の遊技盤アッセンブリを積上げる前における、上側の遊技盤アッセンブリ及び下側の遊技盤アッセンブリの要部断面図である。
【図７】第２実施形態に係る下側の遊技盤アッセンブリに第２実施形態に係る上側の遊技盤アッセンブリを積上げた際における、上側の遊技盤アッセンブリ及び下側の遊技盤アッセンブリの要部断面図である。
【発明を実施するための形態】
【００１１】
本発明の一実施形態に係るパチンコ遊技機は、図１に示すような透明なアクリル樹脂等合成樹脂製遊技盤１を備える。
【００１２】
図１に示す遊技盤１は、パチンコ遊技機の製造ラインにおいて、遊技釘、風車、内レール、外レール、第１始動口（ヘソ）、第２始動口（電チュー）、大入賞口（アタッカー）、普通入賞口、ゲート、センター装飾部材、装飾ランプ、第１特別図柄表示器、第２特別図柄表示器など各種部品（いずれも図示せず。）が装着される前の遊技盤の状態を示しており、部品の構造及び装着部位に対応して所定形状の複数の貫通孔２が設けられている。また、遊技盤１の外周部には、複数の組付孔３が設けられており、各組付孔３には、後述するスペーサー５の組付リブ１１が圧入され、遊技盤１にスペーサー５が組み付けられて遊技盤アッセンブリ１００が構成される。遊技盤１の厚さは例えば１０ｍｍである。
【００１３】
遊技盤１の裏面４の外周部には、図２に示すような環状の略透明な合成樹脂製スペーサー５が組み付けられる。スペーサー５は、遊技盤１の左上コーナー部に配される左上部材６と、遊技盤１の右上コーナー部に配される右上部材７と、遊技盤１の左下コーナー部に配される左下部材８と、遊技盤１の右下コーナー部に配される右下部材９とに４分割されており、左上部材６と右上部材７、右上部材７と右下部材９、右下部材９と左下部材８、左下部材８と左上部材６、が互いに嵌合等により連結されることによって図２（Ａ）に示すような環状形状に構成される。スペーサー５の正面１０（遊技盤１側の面）には、遊技盤１の各組付孔３に対応して複数の組付リブ１１が設けられており、遊技盤１の各組付孔３に組付リブ１１を圧入することにより、遊技盤１にスペーサー５が組み付けられ、遊技盤アッセンブリ１００が形成される。左上部材６、右上部材７、左下部材８及び右下部材９は、それぞれ、略平板状の２つの部材、換言すると平板部材１２、１３を重ね合わせ、２つの平板部材１２、１３をビス止めして一体に構成される。さらに、左上部材６、右上部材７、左下部材８及び右下部材９には、適宜、配線通し用の孔１４等が設けられている。スペーサー５の厚さは例えば９ｍｍである。
【００１４】
パチンコ遊技機の製造ラインにおいて、遊技盤１に対して遊技釘等を装着する作業工程の前工程で、図３に示すように、遊技盤アッセンブリ１００を積上げる作業が行われる。その積上げ作業の後、今度は積上げた遊技盤アッセンブリ１００を上から下ろし遊技釘等を装着する作業が行われる。
【００１５】
＜第１実施形態に係る遊技盤アッセンブリ１００＞
第１実施形態に係る遊技盤アッセンブリ１００のスペーサー５は、左上部材６、右上部材７、左下部材８及び右下部材９のいずれか２つ以上の部材に、図４に示すようなピン（可動係止部材）２１を備える。ピン２１は、２つの平板部材１２、１３に設けられたピン収容室２２に収容される。ピン２１は、大径の頭部２３と、頭部２３から延びる小径の脚部（先端部）２４とを有し、脚部２４は、２つの平板部材１２、１３のうち非遊技盤１側の平板部材１３に形成された貫通孔２５に挿通された状態に保持され、また、頭部２３は、貫通孔２５よりも大径に形成され、ピン収容室２２を形成する側壁部２６に案内されて軸方向へ移動可能である。ピン２１は、遊技盤１が上、スペーサー５が下になるよう遊技盤アッセンブリ１００を水平状態にしたとき、自重により、頭部２３が下側の平板部材１３の貫通孔２５の周縁部と当接し、脚部（先端部）２４が下側の平板部材１３の下面２７から下方へ突出した状態となる。
【００１６】
遊技盤１の盤面２８には、複数の係止凹部２９が形成されている。各係止凹部２９は、遊技盤アッセンブリ１００を、遊技盤１が上、スペーサー５が下になるよう水平状態にしたとき、各ピン２１の真上となる位置に形成されている。係止凹部２９の内径はピン２１の脚部２４よりも僅かに大きく形成され、係止凹部２９にピン２１の脚部２４が収容可能とされる。
【００１７】
遊技盤アッセンブリ１００を図３に示すように順に積上げる際、図４に示すように、積上げようとする遊技盤アッセンブリ１００Ａ（上側の遊技盤アッセンブリ）を、遊技盤１が上、スペーサー５が下になるよう水平状態にし、下側の平板部材１３の下面２７から下方へ突出しているピン２１の脚部２４が、既に積み終わっている遊技盤アッセンブリ１００Ｂ（下側の遊技盤アッセンブリ）の遊技盤１の係止凹部２９の真上に位置するよう位置決めし、上側の遊技盤アッセンブリ１００Ａを下側の遊技盤アッセンブリ１００Ｂの上に載せる。上側の遊技盤アッセンブリ１００Ａを下側の遊技盤アッセンブリ１００Ｂに載せたとき、図５に示すように、上側の遊技盤アッセンブリ１００Ａの各ピン２１の脚部２４は、下側の遊技盤アッセンブリ１００Ｂの係止凹部２９に嵌る。このため、上側の遊技盤アッセンブリ１００Ａは、下側の遊技盤アッセンブリ１００Ｂの上に固定される。
【００１８】
以上説明したように、第１実施形態に係る遊技盤アッセンブリ１００によると、遊技釘等が固定、配設される前の遊技盤アッセンブリを順に積み上げるとき、上側の遊技盤アッセンブリ１００Ａの２つ以上のピン（可動係止部材）２１が下側の遊技盤アッセンブリ１００Ｂの対応する係止凹部２９に嵌ることにより、上側の遊技盤アッセンブリ１００Ａが下側の遊技盤アッセンブリ１００Ｂの上でずれることなく確実に保持されるようになり、遊技盤アッセンブリ１００の積上げ作業が容易かつ確実なものになる。ここで、係止凹部２９は、貫通孔からなる係止孔部で代替させてもよい。また、ピン２１の脚部２４の断面形状は円形の他、三角形、四角形など多角形、あるいは、楕円形、長円形など、異形形状で構成し、係止凹部２９は脚部２４の断面形状に対応した孔形状で構成してもよい。このように構成した場合、ピン２１の個数を１つに設定しても、位置ずれを防止可能となる。
【００１９】
＜第２実施形態に係る遊技盤アッセンブリ１００＞
第２実施形態に係る遊技盤アッセンブリ１００のスペーサー５は、左上部材６、右上部材７、左下部材８及び右下部材９のいずれか３つ以上の部材に、図６に示すようなピン（可動係止部材）２１を備える。ピン２１は、略平板状の２つの部材、換言すると２つの平板部材１２、１３に設けられたピン収容室２２に収容される。ピン２１は、大径の頭部２３と、頭部２３から延びる小径の脚部（先端部）２４とを有し、脚部２４は、２つの平板部材１２、１３のうち非遊技盤１側の平板部材１３に形成された貫通孔２５に挿通された状態に保持され、また、頭部２３は、貫通孔２５よりも大径に形成され、ピン収容室２２を形成する側壁部２６に案内されて軸方向へ移動可能である。ピン２１は、遊技盤１が上、スペーサー５が下になるよう遊技盤アッセンブリ１００を水平状態にしたとき、自重により、頭部２３が下側の平板部材１３の貫通孔２５の周縁部と当接し、脚部２４が下側の平板部材１３の下面２７から下方へ突出した状態となる。
【００２０】
遊技盤１の盤面２８には、各ピン２１に対応する位置に係止凹部２９が形成されている。各係止凹部２９は、遊技盤アッセンブリ１００を、遊技盤１が上、スペーサー５が下になるよう水平状態にしたとき、各ピン２１の真上となる位置に形成されている。係止凹部２９の内径はピン２１の脚部２４よりも僅かに大きく形成され、係止凹部２９にピン２１の脚部２４の先端部が収容可能とされる。
【００２１】
遊技盤アッセンブリ１００を図３に示すように順に積上げる際、積上げようとする遊技盤アッセンブリ１００Ａ（上側の遊技盤アッセンブリ）を、遊技盤１が上、スペーサー５が下になるよう水平状態にする。遊技盤アッセンブリ１００Ａが水平状態のとき、各ピン２１は、２つの平板部材１２、１３のうち非遊技盤１側の平板部材１３の下面２７からの突出量が最大となる垂下位置に保持される。次に、上側の遊技盤アッセンブリ１００Ａの各ピン２１の脚部２４の先端部が、既に積み終わっている遊技盤アッセンブリ１００Ｂ（下側の遊技盤アッセンブリ）の遊技盤１の係止凹部２９の真上に位置するよう位置決めし、上側の遊技盤アッセンブリ１００Ａを下側の遊技盤アッセンブリ１００Ｂの上に載せる。上側の遊技盤アッセンブリ１００Ａを下側の遊技盤アッセンブリ１００Ｂに載せるとき、図７に示すように、上側の遊技盤アッセンブリ１００Ａの各ピン２１の脚部２４の先端部は、下側の遊技盤アッセンブリ１００Ｂの係止凹部２９に嵌り係止凹部２９の底面３０と当接し、各ピン２１の脚部２４の先端部が係止凹部２９の底面３０と当接した後は、各ピン２１の頭部２３は、２つの平板部材１２、１３のうち遊技盤１側の平板部材１２の内面３１に向かって上昇し、各ピン２１の頭部２３は平板部材１２の内面３１と当接し、移動を終了する。ピン２１は、３つ以上からなり、かつ、各ピン２１の頭部２３が平板部材１２の内面３１と当接状態にあるとき、上側の遊技盤アッセンブリ１００Ａを３点以上で支持可能な部位に設けられている。このため、各ピン２１の頭部２３が平板部材１２の内面３１と当接状態にあるとき、上側の遊技盤アッセンブリ１００Ａのスペーサー５の下面（平板部材１３の下面２７）と、下側の遊技盤アッセンブリ１００Ｂの遊技盤１の盤面２８とは非接触状態を維持する。
【００２２】
以上説明したように、第２実施形態に係る遊技盤アッセンブリ１００よると、遊技釘等が固定、配設される前の遊技盤アッセンブリを順に積み上げるとき、上側の遊技盤アッセンブリ１００Ａの各ピン２１が下側の遊技盤アッセンブリ１００Ｂの対応する係止凹部２９に嵌ることにより、上側の遊技盤アッセンブリ１００Ａが下側の遊技盤アッセンブリ１００Ｂの上でずれることなく確実に保持されるようになり、遊技盤アッセンブリ１００の積上げ作業が容易かつ確実なものになる。さらに、遊技盤アッセンブリ１００を積み上げたとき、上側の遊技盤アッセンブリ１００Ａのスペーサー５の下面２７と、下側の遊技盤アッセンブリ１００Ｂの遊技盤１の盤面２８とが非接触状態に維持されるようになるため、上側の遊技盤アッセンブリ１００Ａのスペーサー５によって下側の遊技盤アッセンブリ１００Ｂの遊技盤１の盤面２８が損傷される不具合を防止することができる。ここで、ピン２１の脚部２４の断面形状は円形の他、三角形、四角形など多角形、あるいは、楕円形、長円形など、異形形状で構成し、係止凹部２９は脚部２４の断面形状に対応した孔形状で構成してもよい。このように構成した場合、ピン２１の個数を１つに設定しても、位置ずれを防止可能となると共に、上側の遊技盤アッセンブリ１００Ａのスペーサー５の下面２７と、下側の遊技盤アッセンブリ１００Ｂの遊技盤１の盤面２８とを略全体的に非接触状態に維持することが可能である。
【符号の説明】
【００２３】
１    遊技盤
４    裏面
５    スペーサー
２１    ピン（可動係止部材）
２４    脚部（先端部）
２７    スペーサーの下面
２８    盤面
２９    係止凹部又は係止孔部
３０    底面
１００    遊技盤アッセンブリ
１００Ａ    上側の遊技盤アッセンブリ
１００Ｂ    下側の遊技盤アッセンブリ
【図１】
2011036314.tif 000003
【図２】
2011036314.tif 000004
【図３】
2011036314.tif 000005
【図４】
2011036314.tif 000006
【図５】
2011036314.tif 000007
【図６】
2011036314.tif 000008
【図７】
2011036314.tif 000009